(57)【要約】      （修正有）【課題】手洗い時には、水が飛び散らないように、有効的に水を利用することができるので、使用上の利便性に優れ、且つ水を最大限節約することができる蛇口を提供する。【解決手段】ベース１１と、該ベース１１の上部から前方に向かって延出する首部１２と、首部１２の前端に形成される頭部１３と、ベース１１、首部１２及び頭部１３の内部を貫通する吐水管１４とからなる蛇口本体１０を有し、該ベース１１の底面に、吐水管１４と連通する入水口１４１が形成されると共に、頭部１３に、吐水管１４と連通するＵ字形の吐水口１４２が形成される。【選択図】図１
0003161861.tif 000002
【実用新案登録請求の範囲】
【請求項１】
ベースと、該ベースの上部から前方に向かって延出する首部と、該首部の前端に形成される頭部と、該ベース、首部及び頭部の内部を貫通する吐水管とからなる蛇口本体を有し、該ベースの底面に、該吐水管と連通する入水口が形成されると共に、該頭部に、該吐水管と連通するＵ字形の吐水口が形成されることを特徴とする蛇口。
【請求項２】
前記吐水口が前記頭部の底面に形成されることを特徴とする請求項１に記載の蛇口。
【請求項３】
前記頭部にＵ字形の外壁が設けられ、
該Ｕ字形の外壁に前記吐水口が穿設されることを特徴とする請求項１に記載の蛇口。
【請求項４】
前記頭部にＵ字形の内壁を備える貫通孔が形成され、
該Ｕ字形の内壁に前記吐水口が穿設されることを特徴とする請求項１に記載の蛇口。
【考案の詳細な説明】
【技術分野】
【０００１】
本考案は、特に節水することができる蛇口に関するものである。
【背景技術】
【０００２】
手を洗う時には、両手を合わせ、吐水口から吐水される水道水を用いる。
【０００３】
蛇口は、一般的に洗面所に設置され、末端の吐水口から水道水を提供するものである。また、従来の蛇口における、例えば円形や長方形を呈する吐水口から吐水する水道水の形状は、円柱形または角柱形を呈するものである。
【考案の概要】
【考案が解決しようとする課題】
【０００４】
しかしながら、従来の蛇口から吐水される円柱形または角柱形の水は、水の形状や流れが両手の形状に合わないことから、水が無駄になってしまうという欠点があった。さらに、水圧が上昇すると、水の噴出しが強くなり、飛び散ってしまうので、これも水の浪費となっていた。
【課題を解決するための手段】
【０００５】
本考案に係る蛇口は、ベースと、該ベースの上部から前方に向かって延出する首部と、該首部の前端に形成される頭部と、該ベース、首部及び頭部の内部を貫通する吐水管とからなる蛇口本体を有し、該ベースの底面に、該吐水管と連通する入水口が形成されると共に、該頭部に、該吐水管と連通するＵ字形の吐水口が形成される構成を有するので、手洗い時に水を節約しながら有効的に利用することができる。
【０００６】
前記吐水口が前記頭部の底面に形成されることが好ましい。
【０００７】
さらに、前記頭部にＵ字形の外壁が設けられ、該Ｕ字形の外壁に前記吐水口が穿設されるものであっても構わない。
【０００８】
また、前記頭部にＵ字形の内壁を備える貫通孔が形成され、該Ｕ字形の内壁に前記吐水口が穿設されるものであっても構わない。
【考案の効果】
【０００９】
本考案に係る蛇口は上記の課題を解決するものであることから、手洗い時には、水が飛び散らないように、有効的に水を利用することができるので、使用上の利便性に優れ、且つ水を最大限節約することができる。
【図面の簡単な説明】
【００１０】
【図１】本考案に係る蛇口における第一実施例の斜視図である。
【図２】本考案に係る蛇口における第一実施例の使用方法を示す斜視図である。
【図３】本考案に係る蛇口における第二実施例の斜視図である。
【図４】本考案に係る蛇口における第三実施例の前視斜視図である。
【図５】本考案に係る蛇口における第三実施例の後視斜視図である。
【考案を実施するための形態】
【００１１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１２】
図１に示すように、本考案に係る蛇口の第一実施例は、底部に設けられるベース１１と、該ベース１１の上部から前方に向かって延出する首部１２と、該首部１２の前端に形成される頭部１３と、該ベース１１、首部１２及び頭部１３の内部を貫通する吐水管１４とからなる蛇口本体１０を有し、該ベース１１の底面に、該吐水管１４と連通する入水口１４１が形成されると共に、該頭部１３の底面に、該吐水管１４と連通するＵ字形の吐水口１４２が形成される。
【００１３】
図２に示すように、本考案に係る蛇口を使用する時は、水道水が吐水管１４の入水口１４１から入り吐水口１４２から吐水される。また、前記吐水口１４２は、Ｕ字形を呈することから、吐水した水が両手の形状に対応しているので、手を洗う時に水が飛び散らなく、水を無駄なく有効的に利用することができる。また、本考案に係る蛇口は、円柱形または角柱形を呈する従来の蛇口により吐水される水と同量の水で、断面Ｕ字形の形状にて吐水させるので、従来の蛇口より、水の利用効率を向上させることができる。さらに、本考案に係る蛇口による、断面がＵ字形の水は、両手を合わせた形状に対応するので、水圧による水が飛び散りを防ぎ、水の節約にも繋がる。
【００１４】
図３に示すように、本考案に係る蛇口の第二実施例における頭部２１及び吐水口２２は、第一実施例における頭部１３及び吐水口１４２と異なる形状を有し、その第二実施例における蛇口における蛇口本体２０の頭部２１は、Ｕ字形の外壁を備え、該吐水口２２は、該頭部２１のＵ字形の外壁に穿設されると共に、吐水管１４と連通するＵ字形のものである。また、第二実施例の蛇口を使用する時は、入水口１４１から吐水管１４に送られ、該吐水管１４を介して吐水口２２から吐水される水道水を、該吐水口２２及び頭部２１におけるＵ字形の外壁に穿設される吐水口２２により、断面Ｕ字形に形成させることができる。
【００１５】
図４及び図５に示すように、本考案に係る蛇口の第三実施例頭部３１及び吐水口３３は、第一実施例の頭部１３及び吐水口１４２と異なる形状を有し、その第三実施例における蛇口本体３０の頭部３１には、Ｕ字形の内壁を備える貫通孔３２が形成され、該吐水口３３は、吐水管１４と連通するＵ字形のものであり、該Ｕ字形の内壁に穿設される。また、第三実施例の蛇口を使用する時は、入水口１４１から吐水管１４に送られ、該吐水管１４を介して吐水口３３から吐水される水道水を、該頭部３１のＵ字形の内壁に穿設される吐水口３３により、断面Ｕ字形に形成させることができる。
【００１６】
第二実施例と第一実施例とは、頭部１３、２１及び吐水口１４２、２２の形状において異なると共に、第三実施例と第一実施例も、頭部１３、３１及び吐水口１４２、３３の形状において異なり、一方、第二実施例及び第三実施例における頭部２１、３１及び吐水口２２、３３以外の構成や効果は、第一実施例と類似するので、係る説明を省略する。
【産業上の利用可能性】
【００１７】
本考案は上記の構成を有するので、手洗い時には、水が飛び散らないように、有効的に水を利用することができるので、使用上の利便性に優れ、且つ水を最大限節約することができる。
【符号の説明】
【００１８】
１０、２０、３０    蛇口本体
１１                ベース
１２                首部
１３、２１、３１    頭部
１４                吐水管
１４１              入水口
１４２、２２、３３  吐水口
３１                貫通孔
【図１】
0003161861.tif 000003
【図２】
0003161861.tif 000004
【図３】
0003161861.tif 000005
【図４】
0003161861.tif 000006
【図５】
0003161861.tif 000007